(57)【特許請求の範囲】
【請求項１】
周囲に検出対象となるガスが存在する場合にその濃度が警報濃度以上になったと判断したときに警報すると共に、所定時間の点検モード時において所定条件成立時にはガス濃度が警報濃度以上であっても前記点検モード中である限り警報を停止させるガス警報器であって、
検出対象となるガスの濃度に応じた信号を出力するガスセンサと、
前記点検モード中において前記ガスセンサからの信号により前記警報濃度を超える点検用濃度以上のガスが検出された場合に、点検ガスの注入状態であると判断する点検ガス注入状態判断手段と、
前記点検ガス注入状態判断手段により点検ガスの注入状態であると判断された場合、前記所定時間の点検モードを、前記所定時間経過後も継続させる延長手段と、
前記所定時間を計時するタイマ手段をさらに備え、
前記点検モードは、前記タイマ手段による計時時間が前記所定時間に達したときに終了し、
前記延長手段は、前記点検ガス注入状態判断手段により点検ガスの注入状態であると判断されたことを条件に、前記タイマ手段の計時時間をリセットする
ことを特徴とするガス警報器。
【請求項２】
前記延長手段は、前記点検ガス注入状態判断手段により点検ガスの注入状態であると判断されてから、前記ガスセンサからの信号により検出されるガス濃度が前記点検用濃度を下回るまでの間、前記タイマ手段の計時時間をリセットし続ける
ことを特徴とする請求項１に記載のガス警報器。
【請求項３】
前記点検ガス注入状態判断手段により点検ガスの注入状態であると判断されてから、前記ガスセンサからの信号により検出されるガス濃度が前記点検用濃度を下回ると判断され、その後、更に前記ガスセンサからの信号により検出されるガス濃度が前記点検用濃度以上となった場合、前記点検ガス注入状態判断手段は、点検ガスの再度の注入状態であると判断し、
前記延長手段は、前記点検ガス注入状態判断手段により再度の注入状態であると判断されてから、前記ガスセンサからの信号により検出されるガス濃度が前記点検用濃度を再度下回るまでの間、前記タイマ手段の計時時間をリセットし続ける
ことを特徴とする請求項２に記載のガス警報器。
【請求項４】
前記所定条件は、前記ガスセンサからの信号により検出されるガス濃度が、前記点検用濃度を下回った後に複数回連続して低下した場合である
ことを特徴とする請求項１から請求項３のいずれか１項に記載のガス警報器。
【発明の詳細な説明】
【技術分野】
【０００１】
本発明は、ガス警報器に関する。
【背景技術】
【０００２】
従来、ガス警報器は設置業者の作業員により家庭等に設置され、この際に作動点検が行われる。作動点検では、ライターやガスコンロ等の外炎からスポイト等の器具にて点検ガス（ＣＯ・Ｈ２混合ガス）を採取し、これをガス警報器のセンサ室に注入しガス警報器を警報出力させる（特許文献１参照）。上記の作動点検は、ガス警報器の電源投入後等にモード突入する点検モードにおいて行われる。
【０００３】
このような点検モード中において作動点検により警報が出力された場合、注入されたガスの濃度が警報濃度を下回るまで警報が鳴り続けてしまうことから、点検モード中に限り警報出力を停止させる機能を有したガス警報器が提案されている（特許文献２参照）。このガス警報器は、点検モード時において警報出力後、少なくとも２回連続して前回検出値以下となった場合に、警報出力を停止させる。
【先行技術文献】
【特許文献】
【０００４】
【特許文献１】特開２００５−２３４７０７号公報
【特許文献２】特許第４００１９０３号公報
【発明の概要】
【発明が解決しようとする課題】
【０００５】
ここで、点検モード中はガス警報器の動作が正常であるか確認する必要がある関係上、作業員は点検モード終了までガス警報器から離れることができないことが多い。このため、ガス警報器の設置時における作業時間の短縮の観点からすると、点検モードはなるべく短いことが好ましい。しかし、点検モードが短すぎると点検モードが終了して通常モードに移行するタイミングにおいてセンサ室内のガス濃度が警報濃度以上であることがあり、この場合には、折角警報を停止したにも拘わらず通常モード移行時に警報が再出力されてしまう。
【０００６】
本発明はこのような従来の課題を解決するためになされたものであり、その発明の目的とするところは、点検モード終了時に点検ガスにより警報が再出力されてしまう可能性を低減することが可能なガス警報器を提供することにある。
【課題を解決するための手段】
【０００７】
本発明のガス警報器は、周囲に検出対象となるガスが存在する場合にその濃度が警報濃度以上になったと判断したときに警報すると共に、所定時間の点検モード時において所定条件成立時にはガス濃度が警報濃度以上であっても前記点検モード中である限り警報を停止させるガス警報器であって、検出対象となるガスの濃度に応じた信号を出力するガスセンサと、前記点検モード中において前記ガスセンサからの信号により前記警報濃度を超える点検用濃度以上のガスが検出された場合に、点検ガスの注入状態であると判断する点検ガス注入状態判断手段と、前記点検ガス注入状態判断手段により点検ガスの注入状態であると判断された場合、前記所定時間の点検モードを、前記所定時間経過後も継続させる延長手段と、を備えることを特徴とする。
【０００８】
このガス警報器によれば、点検モード中において警報濃度を超える点検用濃度以上のガスが検出された場合に点検ガスの注入状態であると判断し、所定時間の点検モードを、所定時間経過後も継続させるため、所定時間経過時点において点検ガスが警報濃度以上であったとしても点検モードの継続によってこの時点における警報出力は回避されることとなる。従って、点検モード終了時に点検ガスにより警報が再出力されてしまう可能性を低減することができる。
【０００９】
さらに、本発明のガス警報器は、前記所定時間を計時するタイマ手段をさらに備え、前記点検モードは、前記タイマ手段による計時時間が前記所定時間に達したときに終了し、前記延長手段は、前記点検ガス注入状態判断手段により点検ガスの注入状態であると判断されたことを条件に、前記タイマ手段の計時時間をリセットすることを特徴とする。
【００１０】
この警報器によれば、点検ガスの注入状態であると判断されたことを条件に、所定時間を計時するタイマ手段の計時時間をリセットする。ここで、点検モードを所定時間経過後にある一定時間だけ継続させた場合、所定時間の点検モード中の後半部分において点検ガスが注入されると、前半部分に点検ガスが注入された場合よりも点検モードの残り時間が少なくなり点検モード終了時に警報が出力されてしまう可能性が高まる。しかし、点検ガスの注入状態であると判断されたことを条件に計時時間をリセットすることで、点検ガスの注入状態が判断されてから所定時間の点検モードが確保されるため、点検ガスの注入タイミングに拘わらず注入後に所定時間の点検モードを確保して点検モード終了時に警報が再出力されてしまう可能性を一層低減することができる。
【００１１】
また、本発明のガス警報器において、前記延長手段は、前記点検ガス注入状態判断手段により点検ガスの注入状態であると判断されてから、前記ガスセンサからの信号により検出されるガス濃度が前記点検用濃度を下回るまでの間、前記タイマ手段の計時時間をリセットし続けることが好ましい。
【００１２】
このガス警報器によれば、点検ガスの注入状態であると判断されてから、ガスセンサからの信号により検出されるガス濃度が点検用濃度を下回るまでの間、計時時間をリセットし続けるため、注入されたガスが無くなりつつある時点から計時が再開されることとなる。ここで、点検ガスの注入状態が判断された時点から所定時間の点検モードを確保すると、点検ガスの注入量が多い場合には、所定時間経過後も点検ガスが残っており点検モード終了時に警報が出力されてしまう可能性が高まる。しかし、ガス濃度が点検用濃度を下回るまでの間、計時時間をリセットし続けることで、点検ガス濃度が或る程度低下した時点から所定時間を確保することができ、点検モード終了時に警報が再出力されてしまう可能性を一層低減することができる。
【００１３】
また、本発明のガス警報器において、前記点検ガス注入状態判断手段により点検ガスの注入状態であると判断されてから、前記ガスセンサからの信号により検出されるガス濃度が前記点検用濃度を下回ると判断され、その後、更に前記ガスセンサからの信号により検出されるガス濃度が前記点検用濃度以上となった場合、前記点検ガス注入状態判断手段は、点検ガスの再度の注入状態であると判断し、前記延長手段は、前記点検ガス注入状態判断手段により再度の注入状態であると判断されてから、前記ガスセンサからの信号により検出されるガス濃度が前記点検用濃度を再度下回るまでの間、前記タイマ手段の計時時間をリセットし続けることが好ましい。
【００１４】
このガス警報器によれば、ガス濃度が点検用濃度を下回ると判断され、その後、更にガスセンサからの信号により検出されるガス濃度が点検用濃度以上となった場合、点検ガスの再度の注入状態であると判断し、計時時間をリセットし続ける。このため、点検ガスが再度注入された場合においても点検モードを延長させることができ、点検モード終了時に警報が再出力されてしまう可能性を一層低減することができる。
【００１５】
また、本発明のガス警報器において、前記所定条件は、前記ガスセンサからの信号により検出されるガス濃度が、前記点検用濃度を下回った後に複数回連続して低下した場合であることが好ましい。
【００１６】
このガス警報器によれば、所定条件は、ガスセンサからの信号により検出されるガス濃度が点検用濃度を下回った後に複数回連続して低下した場合であるため、ガス濃度が下がりつつあって今後警報が停止するとの予測のもとで警報が停止されることとなり、適切に警報を停止して点検時における警報出力を早期に停止させることができる。
【発明の効果】
【００１７】
本発明によれば、点検モード終了時に点検ガスにより警報が再出力されてしまう可能性を低減することが可能なガス警報器を提供することができる。
【図面の簡単な説明】
【００１８】
【図１】本発明の実施形態に係るガス警報器を示す構成図である。
【図２】図１に示したＣＰＵの機能ブロック図である。
【図３】本実施形態に係るガス警報器の点検モードにおける制御方法を示すフローチャートである。
【図４】図３に示した警報処理の詳細を示すフローチャートである。
【図５】本実施形態に係るガス警報器の動作を示す第１のタイミングチャートである。
【図６】本実施形態に係るガス警報器の動作を示す第２のタイミングチャートである。
【図７】本実施形態に係るガス警報器の動作を示す第３のタイミングチャートである。
【図８】本実施形態に係るガス警報器の動作を示す第４のタイミングチャートである。
【発明を実施するための形態】
【００１９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００２０】
図１は、本発明の実施形態に係るガス警報器を示す構成図である。なお、以下ではガス警報機能のみを有するガス警報器を例として説明するが、ガス警報器は火災、人感などの他の警報機能を組み合わせた複合型の警報器であってもよい。
【００２１】
同図に示すように、ガス警報器１は、周囲に検出対象となるガス（例えばＣＯ）が存在する場合にその濃度が警報濃度以上になったと判断したときに警報するものであって、ガスセンサ１０と、ＣＰＵ１１と、音声出力部１２と、表示部１３とを備えている。音声出力部１２は例えばスピーカであって、表示部１３は例えばＬＥＤや液晶ディスプレイである。なお、以下の説明において検出対象となるガスはＣＯであるが、これに限らず、メタン等の他の種類のガスであってもよい。
【００２２】
ガスセンサ１０は、周囲の検出対象となるガスの濃度に応じた信号を出力するものである。このガスセンサ１０は、半導体式、接触燃焼式等のセンサにより構成されている。ＣＰＵ１１は、警報器１の全体を制御するものである。このＣＰＵ１１は、ガスセンサ１０からの信号に基づいて、検知対象となるガスの濃度が警報濃度以上であると判断した場合に、音声出力部１２及び表示部１３を制御して警報を出力させる。
【００２３】
図２は、図１に示したＣＰＵ１１の機能ブロック図である。ＣＰＵ１１は、モード移行制御部１１ａと、早期停止部１１ｂと、点検ガス注入状態判断部（点検ガス注入状態判断手段）１１ｃと、延長部（延長手段）１１ｄと、タイマ部（タイマ手段）１１ｅとを備えている。
【００２４】
モード移行制御部１１ａは、ガス警報器１のモード移行を制御する機能部である。本実施形態に係るガス警報器１は、通常モードと点検モードとの２つのモードを有しており、モード移行制御部１１ａは、これらモード間の移行を制御する。ここで、点検モードとは、ガスの警報動作が適切に実行されるかを点検するためのモードであり、通常モードとは、家庭等においてガス漏れや不完全燃焼等の異常状態の発生を監視するためのモードである。本実施形態においてモード移行制御部１１ａは、ガス警報器１の電源オンや、ガス警報器１に対する所定操作を条件に点検モードに突入させる。
【００２５】
ここで、基本的に点検モードは所定時間（例えば４分）だけ継続し、モード移行制御部１１ａは、所定時間経過後に点検モードから通常モードに移行させる。また、点検モードでは、警報動作が適切に実行されるかを点検するため、点検ガスがガス警報器１のセンサ室に注入される。
【００２６】
早期停止部１１ｂは、点検モード時における警報出力を停止させる機能部である。点検モードでは点検ガスがガス警報器１のセンサ室に注入されるため、検出されるガス濃度が警報濃度以上となり警報が出力される。この警報が点検モード中に出力され続けることを防止するため、早期停止部１１ｂは、所定条件成立時にはガス濃度が警報濃度以上であっても点検モード中である限り警報を停止させる。なお、本実施形態において所定条件とは、ガスセンサ１０からの信号により検出されるガス濃度が、後述の点検用濃度を下回った後に複数回（例えば２回）連続して低下した場合である。
【００２７】
点検ガス注入状態判断部１１ｃは、点検モード中においてガスセンサ１０からの信号により点検用濃度以上のガスが検出された場合に、点検ガスの注入状態であると判断する機能部である。警報濃度は例えば１００ｐｐｍであり、点検用濃度は例えば８００ｐｐｍである。ここで、点検ガスは一般に高濃度のガスであるため、点検ガスがガス警報器１のセンサ室に注入されると、センサ室内におけるガス濃度は点検用濃度以上となる。よって、点検ガス注入状態判断部１１ｃは、点検ガスの注入状態であることを判断することができる。
【００２８】
延長部１１ｄは、点検ガス注入状態判断部１１ｃにより点検ガスの注入状態であると判断された場合、所定時間の点検モードを、所定時間経過後も継続させるものである。ここで、所定時間についてはタイマ部１１ｅによって計時される。点検モードはタイマ部１１ｅによる計時時間が所定時間に達した場合に終了するため、延長部１１ｄは、点検ガスの注入状態であると判断されたことを条件に、タイマ部１１ｅの計時時間をリセットする。これにより、点検モードは、モード開始時点から所定時間を超えて継続されることとなる。
【００２９】
特に、本実施形態に係る延長部１１ｄは、点検ガスの注入状態であると判断されてから、検出されるガス濃度が点検用濃度を下回るまでの間、タイマ部１１ｅの計時時間をリセットし続ける。このため、実質的にタイマ部１１ｅによる計時時間は、ガス濃度が点検用濃度を下回ったときにスタートすることとなり、ガス濃度が低下しつつある時点で実質的な計時時間をスタートすることができる。
【００３０】
図３は、本実施形態に係るガス警報器１の点検モードにおける制御方法を示すフローチャートである。まず、モード移行制御部１１ａの制御によってガス警報器１が点検モードに突入すると、ＣＰＵ１１によって図３に示すフローチャートが実行される。
【００３１】
図３に示すように、ＣＰＵ１１は、まずガス濃度計測のサンプリング時間を短縮する（Ｓ１）。例えばＣＰＵ１１は、通常モードにおいて３０秒のサンプリング時間を、点検モードにおいて５秒に短縮する。
【００３２】
次に、タイマ部１１ｅは所定時間の計時を開始する（Ｓ２）。その後、ＣＰＵ１１は、警報処理を実行する（Ｓ３）。この処理においては、ガス濃度が警報濃度以上である場合に警報を出力すると共に、上記した早期停止部１１ｂの動作時にはたとえガス濃度が警報濃度以上であっても警報を停止する処理が行われる。そして、処理はステップＳ４に移行する。
【００３３】
ステップＳ４において点検ガス注入状態判断部１１ｃは、ガスセンサ１０からの信号に基づいてガス濃度が点検用濃度以上であるかを判断する（Ｓ４）。点検用濃度以上であると判断した場合（Ｓ４：ＹＥＳ）、点検ガス注入状態判断部１１ｃは点検ガスの注入状態であると判断する（Ｓ５）。
【００３４】
次いで、延長部１１ｄは、タイマ部１１ｅによる計時時間をリセットする（Ｓ６）。その後、モード移行制御部１１ａは、タイマ終了か、すなわちタイマ部１１ｅによる計時時間が所定時間に達したかを判断する（Ｓ７）。所定時間に達していないと判断した場合（Ｓ７：ＮＯ）、処理はステップＳ３に移行する。
【００３５】
ところで、ガス濃度が点検用濃度以上でないと判断した場合（Ｓ４：ＮＯ）、早期停止部１１ｂは、現在が点検ガスの注入状態であるか判断する（Ｓ８）。現在が点検ガスの注入状態でないと判断した場合（Ｓ８：ＮＯ）、処理はステップＳ７に移行する。
【００３６】
現在が点検ガスの注入状態であると判断した場合（Ｓ８：ＹＥＳ）、早期停止部１１ｂは、ガス濃度が連続して低下しているか判断する（Ｓ９）。ガス濃度が連続して低下していないと判断した場合（Ｓ９：ＮＯ）、処理はステップＳ７に移行する。なお、ステップＳ９の処理ではガス濃度が所定濃度（例えば１０ｐｐｍ）以上連続して低下したかを判断することが好ましい。
【００３７】
一方、ガス濃度が連続して低下したと判断した場合（Ｓ９：ＹＥＳ）、早期停止部１１ｂは、音声出力部１２及び表示部１３を制御して警報の早期停止状態とする（Ｓ１０）。これにより、点検モード中である限り、ガス濃度が警報濃度以上であると判断されたとしても警報が出力されないようになる。その後、処理はステップＳ７に移行する。なお、この早期停止状態は、再度ステップＳ４にて「ＹＥＳ」と判断されて、注入状態と判断されることにより解除される。解除後はガス濃度が警報濃度以上であると判断されると警報出力されることとなる。
【００３８】
ステップＳ７においてタイマ部１１ｅによる計時時間が所定時間に達したと判断した場合（Ｓ７：ＹＥＳ）、図３に示す処理は終了する。
【００３９】
図４は、図３に示した警報処理の詳細を示すフローチャートである。図４に示すように、ＣＰＵ１１は、ガスセンサ１０からの信号に基づいてガス濃度が警報濃度以上であるかを判断する（Ｓ１１）。警報濃度以上であると判断した場合（Ｓ１１：ＹＥＳ）、ＣＰＵ１１は現在が早期停止状態であるかを判断する（Ｓ１２）。
【００４０】
現在が早期停止状態でないと判断した場合（Ｓ１２：ＮＯ）、ＣＰＵ１１は、音声出力部１２及び表示部１３を制御して警報を出力させる（Ｓ１３）。そして、処理は図３のステップＳ４に移行する。一方、現在が早期停止状態であると判断した場合（Ｓ１２：ＹＥＳ）、ＣＰＵ１１は現在が警報出力中であるかを判断する（Ｓ１４）。警報出力中でないと判断した場合（Ｓ１４：ＮＯ）、処理は図３のステップＳ４に移行する。一方、警報出力中であると判断した場合（Ｓ１４：ＹＥＳ）、ＣＰＵ１１は、警報を停止させ（Ｓ１５）、処理は図３のステップＳ４に移行する。
【００４１】
また、ガス濃度が警報濃度以上でないと判断した場合（Ｓ１１：ＮＯ）、ＣＰＵ１１は現在が警報出力中であるかを判断する（Ｓ１４）。警報出力中でないと判断した場合（Ｓ１４：ＮＯ）、処理は図３のステップＳ４に移行する。一方、警報出力中であると判断した場合（Ｓ１４：ＹＥＳ）、ＣＰＵ１１は、警報を停止させ（Ｓ１５）、処理は図３のステップＳ４に移行する。
【００４２】
次に、本実施形態に係るガス警報器１の動作をタイミングチャートに基づいて説明する。図５は、本実施形態に係るガス警報器１の動作を示す第１のタイミングチャートである。なお、図５では、点検モードが開始してから所定時間の前半部分において点検ガスが注入されたときのタイミングチャートを示している。
【００４３】
まず、時刻５０秒前に点検ガスが注入され、時刻５０秒においてガス濃度が警報濃度に達したとする。この場合、図４に示したステップＳ１１〜Ｓ１３に示すように、警報が出力される。その後、時刻５５秒前にガス濃度が点検用濃度を超えると、図３に示したステップＳ４，Ｓ５に示すように、時刻５５秒において点検ガスの注入状態であると判断される。
【００４４】
次に、時刻１１０秒においてガス濃度が点検用濃度を下回り、時刻１１５秒においてガス濃度が更に低下したとする。この場合、図３のステップＳ８〜Ｓ１０に示すように、早期停止部１１ｂは音声出力部１２及び表示部１３を制御して警報の早期停止状態とする。そして、時刻１２０秒において、図４のステップＳ１１，Ｓ１２，Ｓ１４，Ｓ１５に示すように、早期停止部１１ｂは警報を停止させる。
【００４５】
ここで、本実施形態ではガス濃度が点検用濃度以上である限り、図３のステップＳ６に示すように、タイマ部１１ｅによる計時時間がリセットされ続ける。このため、時刻５５秒〜時刻１０５秒の間は、延長部１１ｄによって計時時間がリセットされ続けている。故に、点検モードの基本継続時間（所定時間）が４分（２４０秒）である場合、点検モードは時刻１０５秒から２４０秒経過した時刻３４５秒まで継続することとなる。
【００４６】
そして、点検モードが時刻３４５秒まで継続することから、早期停止状態も時刻３４５秒まで維持されることとなり、この期間においてガス濃度が警報濃度以上であっても警報が停止し続けることとなる（早期警報停止期間）。
【００４７】
ここで、図５からも明らかなように、ガス濃度は時刻２８５秒前に警報濃度未満となっている。このため、従来のように点検モードの延長が無い場合、すなわち時刻２４０秒の時点で点検モードが終了する場合、時刻２４５秒から時刻２８５秒迄の間で警報が再出力されることとなる。
【００４８】
しかし、本実施形態では点検モードが時刻３４５秒まで継続するため、通常モードへの移行時においてガス濃度が警報濃度を下回っており、警報が再出力されてしまうことが防止されることとなる。
【００４９】
図６は、本実施形態に係るガス警報器１の動作を示す第２のタイミングチャートである。なお、図６では、点検モードが開始してから所定時間の後半部分において点検ガスが注入されたときのタイミングチャートを示している。
【００５０】
まず、時刻１３５秒前に点検ガスが注入され、時刻１３５秒においてガス濃度が警報濃度に達したとする。すなわち、点検モードの基本継続時間（所定時間）の後半において点検ガスが注入されたとする。この場合においても、図４に示したステップＳ１１〜Ｓ１３に示すように、警報が出力される。その後、時刻１４０秒前においてガス濃度が点検用濃度を超えたとすると、図３に示したステップＳ４，Ｓ５に示すように、時刻１４０秒において点検ガスの注入状態であると判断される。
【００５１】
次に、時刻１９５秒においてガス濃度が点検用濃度を下回り、時刻２００秒においてガス濃度が更に低下したとする。この場合、図３のステップＳ８〜Ｓ１０に示すように、早期停止部１１ｂは音声出力部１２及び表示部１３を制御して警報の早期停止状態とする。そして、時刻２０５秒において、図４のステップＳ１１，Ｓ１２，Ｓ１４，Ｓ１５に示すように、早期停止部１１ｂは警報を停止させる。
【００５２】
ここで、本実施形態ではガス濃度が点検用濃度以上である限り、図３のステップＳ６に示すように、タイマ部１１ｅによる計時時間がリセットされ続ける。このため、時刻１４０秒〜時刻１９０秒の間は、延長部１１ｄによって計時時間がリセットされ続けている。故に、点検モードは時刻１９０秒から２４０秒経過した時刻４３０秒まで継続することとなる。
【００５３】
そして、点検モードが時刻４３０秒まで継続することから、早期停止状態も時刻４３０秒まで維持されることとなり、この期間においてガス濃度が警報濃度以上であっても警報が停止し続けることとなる（早期警報停止期間）。
【００５４】
ここで、図６に示す例では、点検モードの基本継続時間における後半にて点検ガスが注入されているため、ガス濃度は時刻３７０秒前に警報濃度未満となっている。このため、従来のように点検モードの延長が無い場合、すなわち時刻２４０秒の時点で点検モードが終了する場合、時刻２４５秒から時刻３７０秒迄の間という長期の期間において警報が再出力されることとなる。
【００５５】
しかし、本実施形態では点検モードが時刻４３０秒まで継続するため、通常モードへの移行時においてガス濃度が警報濃度を下回っており、警報が再出力されてしまうことが防止されることとなる。特に、点検モードの所定時間は時刻１９０秒から開始するため、長期に亘る警報の再出力を適切に防止することができる。
【００５６】
図７は、本実施形態に係るガス警報器１の動作を示す第３のタイミングチャートである。なお、図７では、点検ガスが２回注入されたときのタイミングチャートを示している。
【００５７】
まず、時刻５０秒前に点検ガスが注入され、時刻５０秒においてガス濃度が警報濃度に達したとする。この場合、図４に示したステップＳ１１〜Ｓ１３に示すように、警報が出力される。その後、時刻５５秒前においてガス濃度が点検用濃度を超えたとすると、図３に示したステップＳ４，Ｓ５に示すように、時刻５５秒において点検ガスの注入状態であると判断される。
【００５８】
次に、時刻１１０秒においてガス濃度が点検用濃度を下回り、時刻１１５秒においてガス濃度が更に低下したとする。これにより、図３のステップＳ８〜Ｓ１０に示すように、早期停止部１１ｂは音声出力部１２及び表示部１３を制御して警報の早期停止状態とする。そして、時刻１２０秒において、図４のステップＳ１１，Ｓ１２，Ｓ１４，Ｓ１５に示すように、早期停止部１１ｂは警報を停止させる。
【００５９】
次に、時刻１３０秒前に点検ガスが再度注入され、時刻１３０秒においてガス濃度が点検用濃度に達したとする。この場合、図３に示したステップＳ４，Ｓ５に示したように、点検ガス注入状態判断部１１ｃは、点検ガスの再度の注入状態であると判断し、早期停止状態が解除される。これにより、再度警報が出力される。すなわち、時刻１２０秒から時刻１３０秒までの間で早期警報停止期間であったが、時刻１３０秒以降には再度警報が出力されることとなる。
【００６０】
次に、時刻１８５秒においてガス濃度が点検用濃度を下回り、時刻１９０秒においてガス濃度が更に低下したとする。これにより、図３のステップＳ８〜Ｓ１０に示すように、早期停止部１１ｂは音声出力部１２及び表示部１３を制御して再び早期停止状態とする。そして、時刻１９５秒において、図４のステップＳ１１，Ｓ１２，Ｓ１４，Ｓ１５に示すように、早期停止部１１ｂは警報を停止させる。
【００６１】
ここで、本実施形態ではガス濃度が点検用濃度以上である限り、図３のステップＳ６に示すように、タイマ部１１ｅによる計時時間がリセットされ続ける。このため、時刻５５秒〜時刻１０５秒の間、及び、時刻１３０秒〜時刻１８５秒の間（点検ガス注入状態判断部１１ｃにより再度の注入状態であると判断されてから、検出されるガス濃度が点検用濃度を再度下回るまでの間）は、延長部１１ｄによって計時時間がリセットされ続けている。故に、点検モードは最後のリセット時刻である時刻１８５秒から２４０秒経過した時刻４２５秒まで継続することとなる。
【００６２】
このように、図７に示す例では早期停止状態が一時解除されたものの、時刻１９５秒から時刻４２５秒までの期間においてガス濃度が警報濃度以上であっても警報が停止し続けることとなる（早期警報停止期間）。
【００６３】
ここで、図７に示す例では、複数回に亘り点検ガスが注入されているため、ガス濃度は時刻３６５秒前に警報濃度未満となっている。このため、従来のように点検モードの延長が無い場合、すなわち時刻２４０秒の時点で点検モードが終了する場合、時刻２４５秒から時刻３６５秒迄の間という長期の期間において警報が再出力されることとなる。
【００６４】
しかし、本実施形態では点検モードが時刻４２５秒まで継続するため、通常モードへの移行時においてガス濃度が警報濃度を下回っており、警報が再出力されてしまうことが防止されることとなる。
【００６５】
図８は、本実施形態に係るガス警報器１の動作を示す第４のタイミングチャートである。なお、図８では、点検モード中に点検ガスが注入されることなく、ガス濃度が警報濃度以上となる場合のタイミングチャートを示している。
【００６６】
まず、点検ガスが注入されることなく、時刻５０秒前に不完全燃焼により一酸化炭素ガスが発生したとする。そして、時刻５０秒においてガス濃度が警報濃度に達したとする。以後ガス濃度は点検用濃度以上に達しないものとする。
【００６７】
この場合、ガス濃度が点検用濃度以上とならないため、図３に示したステップＳ６のリセット処理が実行されることなく、点検モードは時刻２４０秒の時点で終了する。また、点検ガスが点検用濃度以上とならないため、早期停止状態にもならず、図４のステップＳ１１〜Ｓ１３に示すように、点検モード中において警報は出力され続けることとなる。
【００６８】
このように、本実施形態では警報が必要なときには早期停止状態とならず、適切に警報することができる。ここで、特許文献２に記載のガス警報器では、点検モード時において警報出力後、少なくとも２回連続して前回検出値以下となった場合に、警報出力を停止させる。このため、図８に示す例においても警報が必要であるにも拘わらず、時刻１６０秒付近において警報が停止してしまう。
【００６９】
しかし、本実施形態ではガス濃度が点検用濃度を下回った後に複数回連続して低下した場合に早期停止状態となるため、一度ガス濃度が点検用濃度以上とならない限り、早期停止状態とはなり得ないため、点検モード中においてもより適切に警報することができる。
【００７０】
このようにして、本実施形態に係るガス警報器１によれば、点検モード中において警報濃度を超える点検用濃度以上のガスが検出された場合に点検ガスの注入状態であると判断し、所定時間の点検モードを、所定時間経過後も継続させるため、所定時間経過時点において点検ガスが警報濃度以上であったとしても点検モードの継続によってこの時点における警報出力は回避されることとなる。従って、点検モード終了時に点検ガスにより警報が再出力されてしまう可能性を低減することができる。
【００７１】
また、点検ガスの注入状態であると判断されたことを条件に、所定時間を計時するタイマ部１１ｅの計時時間をリセットする。ここで、点検モードを所定時間経過後にある一定時間だけ継続させた場合、所定時間の点検モード中の後半部分において点検ガスが注入されると、前半部分に点検ガスが注入された場合よりも点検モードの残り時間が少なくなり点検モード終了時に警報が出力されてしまう可能性が高まる。しかし、点検ガスの注入状態であると判断されたことを条件に計時時間をリセットすることで、点検ガスの注入状態が判断されてから所定時間の点検モードが確保されるため、点検ガスの注入タイミングに拘わらず注入後に所定時間の点検モードを確保して点検モード終了時に警報が再出力されてしまう可能性を一層低減することができる。
【００７２】
また、点検ガスの注入状態であると判断されてから、ガスセンサ１０からの信号により検出されるガス濃度が点検用濃度を下回るまでの間、計時時間をリセットし続けるため、注入されたガスが無くなりつつある時点から計時が再開されることとなる。ここで、点検ガスの注入状態が判断された時点から所定時間の点検モードを確保すると、点検ガスの注入量が多い場合には、所定時間経過後も点検ガスが残っており点検モード終了時に警報が出力されてしまう可能性が高まる。しかし、ガス濃度が点検用濃度を下回るまでの間、計時時間をリセットし続けることで、点検ガス濃度が或る程度低下した時点から所定時間を確保することができ、点検モード終了時に警報が再出力されてしまう可能性を一層低減することができる。
【００７３】
また、ガス濃度が点検用濃度を下回ると判断され、その後、更にガスセンサ１０からの信号により検出されるガス濃度が点検用濃度以上となった場合、点検ガスの再度の注入状態であると判断し、計時時間をリセットし続ける。このため、点検ガスが再度注入された場合においても点検モードを延長させることができ、点検モード終了時に警報が再出力されてしまう可能性を一層低減することができる。
【００７４】
また、所定条件は、ガスセンサ１０からの信号により検出されるガス濃度が複数回連続して低下した場合であるため、ガス濃度が下がりつつあって今後警報が停止するとの予測のもとで警報が停止されることとなり、適切に警報を停止して点検時における警報出力を早期に停止させることができる。
【００７５】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００７６】
例えば、上記実施形態においてガス警報器１は、通常モードと点検モードとの２つのモードを有しているが、これに限らず、３つ以上のモードを有していてもよい。
【００７７】
また、所定条件は、上記したものに限らず、例えばガス警報器１に設けられる点検スイッチ等に対して規定の操作がされることであってもよいし、他の内容であってもよい。
【００７８】
さらに、上記実施形態に係る警報濃度については、高濃度警報点及び低濃度警報点のように、複数段階に亘る警報濃度が設定されており、それぞれの警報濃度に応じて警報内容が変更されるようになっていてもよい。
【符号の説明】
【００７９】
１      ：ガス警報器
１０    ：ガスセンサ
１１    ：ＣＰＵ
１１ａ  ：モード移行制御部
１１ｂ  ：早期停止部
１１ｃ  ：点検ガス注入状態判断部（点検ガス注入状態判断手段）
１１ｄ  ：延長部（延長手段）
１１ｅ  ：タイマ部（タイマ手段）
１２    ：音声出力部
１３    ：表示部
【図１】
0006632848.tif 000002
【図２】
0006632848.tif 000003
【図３】
0006632848.tif 000004
【図４】
0006632848.tif 000005
【図５】
0006632848.tif 000006
【図６】
0006632848.tif 000007
【図７】
0006632848.tif 000008
【図８】
0006632848.tif 000009